(57)【要約】Ｅｃｔ２ポリペプチドの発現及び産生のためのベクター及び宿主細胞とともに、ヒトＥｃｔ２ポリペプチド、断片及び誘導体が提供されている。ハイスループット法を含む、Ｅｃｔ２のＥｃｔ２結合剤との相互作用を調節する薬剤のための種々のスクリーニング方法も提供されている。【特許請求の範囲】
【請求項１】
ＧＥＦ活性を有し、配列番号：２又は配列番号：４と少なくとも９５％の配列同一性を有するアミノ酸配列を含んでなる、精製されたＥＣＴ２ポリペプチド。
【請求項２】
ＧＥＦ活性を有し、配列番号：２又は配列番号：４のいずれかの少なくとも２３４連続アミノ酸残基を有するアミノ酸配列を含んでなる、精製されたＥＣＴ２ポリペプチド。
【請求項３】
組み換え体発現系が適合する宿主細胞に存在する場合に、前記発現系がＧＥＦ活性を有し、配列番号：２又は配列番号：４と少なくとも９５％の配列同一性を有するアミノ酸配列を含んでなるＥｃｔ２ポリペプチドを産する、ＤＮＡ又はＲＮＡ分子を含んでなる前記組み換え体発現系。
【請求項４】
請求項３の発現系を含んでなる宿主細胞。
【請求項５】
Ｅｃｔ２タンパク質の発現及び前記タンパク質を回収することに適した条件下で請求項４の宿主細胞を培養することを含んでなるＥｃｔ２ポリペプチドを産するための工程。
【請求項６】
適した培養条件下で、宿主細胞がＥｃｔ２ポリペプチドを産するような、請求項３の発現系による宿主細胞の形質転換又は形質移入を含んでなる、Ｅｃｔ２ポリペプチドを産する細胞を産するための工程。
【請求項７】
結合及び候補薬剤がＥｃｔ２ポリペプチドとＥｃｔ２結合標的との結合を調節するか否かを確かめるのに誘導性のある条件下で、Ｅｃｔ２ポリペプチド及び前記結合標的を候補薬剤とインキュベートすることを含んでなる、請求項１又は２のＥｃｔ２ポリペプチドとＥｃｔ２結合標的との相互作用を調節する薬剤をスクリーニングする方法。
【請求項８】
前記結合標的が天然細胞内基質であり、Ｅｃｔ２ポリペプチドとＥｃｔ２結合標的の結合の前記調節が前記基質のＧＤＰ／ＧＴＰ交換として検出される、請求項７の方法。
【請求項９】
前記候補薬剤の存在下での、Ｅｃｔ２ポリペプチドと結合標的の結合が固相で検出される、請求項７の方法。
【請求項１０】
前記結合標的がＲｈｏＡ、ＲｈｏＣ、Ｒａｃ、ＣＤＣ４２から成る群より選択される、請求項７の方法。
【請求項１１】
前記薬剤が抗体である、請求項７の方法。
【請求項１２】
前記薬剤が小有機分子である、請求項７の方法。
【請求項１３】
前記薬剤がアンチセンスオリゴマーである、請求項７の方法。
【発明の詳細な説明】
【０００１】
（関連する出願の参考文献）
本出願は、２０００年１０月１２日に出願された米国仮特許出願番号６０／２３９，６８９に対して優先権を主張し、その内容は、その全体がここで取り入れられている。
【０００２】
（発明の背景）
低分子（２１ｋＤａ）ＧＴＰ結合タンパク質（低分子Ｇタンパク質）は、５つのサブファミリーを含む：Ｒａｓ，Ｒｈｏ，ＡＤＰリボシル化因子（ＡＲＦｓ），Ｒａｂ，及びＲａｎであり、これらは、多くの細胞応答を制御する分子スイッチとして作用する。ＧＴＰａｓｅｓのＲｈｏファミリーのメンバーには、ＲｈｏＡ、−Ｂ、及び−Ｃ、Ｒａｃ１及び−２、及びＣｄｃ４２が含まれる。グアニンヌクレオチド交換因子（ＧＥＦｓ）は、結合ＧＤＰをＧＴＰで置き換えることを触媒することによってＲｈｏタンパク質を活性化する。Ｒｈｏタンパク質のＧＴＰ結合型は、特にそれらのエフェクター又は標的と相互作用し、下流分子へシグナルを伝達する。ＧＴＰａｓｅ活性化タンパク質（ＧＡＰｓ）の補助による、内因性ＧＴＰａｓｅ活性による結合ＧＴＰのＧＤＰへの加水分解を介して、Ｒｈｏタンパク質は不活性化される。ＧＴＰａｓｅｓのＲｈｏファミリーは、アクチン細胞骨格及び細胞接着の制御に加わり、平滑筋収縮、細胞形態、細胞移動、神経突起退縮、細胞質分裂、及び細胞形質転換の制御にも関与している（Ｈａｌｌ， Ａ， Ｓｃｉｅｎｃｅ（１９９８）２７９：５０９−５１４）。
【０００３】
ｄｂ１ホモロジー（ＤＨ）ドメインタンパク質と配列類似性を有する形質転換タンパク質であるＥｃｔ２は、Ｒｈｏファミリータンパク質のサブセットと関連するＧＥＦである：ＲｈｏＡ、Ｃｄｃ４２、及びＲａｃ１。その変換活性に必要なＥｃｔ２リン酸化は、Ｇ２及びＭ期の間に起こる。ヒトＥｃｔ２は、細胞質分裂の制御に関わる。ヒトｅｃｔ２遺伝子は、第３番染色体長腕３ｑ２６上に位置し（Ｔａｋａｉ Ｓ， ら．， Ｇｅｎｏｍｉｃｓ（１９９５）２７（１）： ２２０−２２２）、そこは、増幅したコピー数及び多数の癌の発現領域である（Ｂｉｔｔｅｒ ＭＡ， ら．， Ｂｌｏｏｄ（１９８５） ６６（６）： １３６２−１３７０；Ｋｉｍ ＤＨ， ら．， Ｉｎｔ Ｊ Ｃａｎｃｅｒ （１９９５） ６０（６）： ８１２−８１９；Ｂｒｚｏｓｋａ ＰＭら．， Ｃａｎｃｅｒ Ｒｅｓ． （１９９５）５５（１４）： ３０５５−３０５９；Ｂａｌｓａｒａ ＢＲ， ら．， Ｃａｎｃｅｒ Ｒｅｓ． （１９９５） ５５（１４）： ３０５５−３０５９；Ｂａｌｓａｒａ ＢＲ， ら．， Ｃａｎｃｅｒ Ｒｅｓ． （１９９７） ５７（１１）： ２１１６−２１２０；Ｈｅｓｅｌｍｅｙｅｒ Ｋ， ら．， Ｇｅｎｅｓ Ｃｈｒｏｍｏｓｏｍｅｓ Ｃａｎｃｅｒ （１９９７） １９（４）： ２３３−２４０；Ｓｏｎｏｄａ Ｇ， ら．， Ｇｅｎｅｓ Ｃｈｒｏｍｏｓｏｍｅｓ Ｃａｎｃｅｒ． （１９９７） ２０（４）： ３２０−８）。米国国立ガン研究所（ｗｗｗ．ｎｃｂｉ．ｎｌｍ．ｎｉｈ．ｇｏｖ／ｎｃｉｃｇａｐ）より入手可能であるデータは、ヒトｅｃｔ２が卵巣、子宮、副甲状腺、睾丸、脳、及び結腸で過剰発現していることを示す。
【０００４】
ｅｃｔ２遺伝子は、哺乳動物及び昆虫で配列及び機能的レベルで保存されている。ショウジョウバエ（ＧｅｎＢａｎｋ ＩＤ＃（ＧＩ）５８１７６０３）のｐｅｂｂｌｅ遺伝子は、マウス（ＧＩ２９３３３１）及びヒトｅｃｔ２のオーソログ（ｏｒｔｈｏｌｏｇｕｅ）であり、細胞質分裂の開始にとって必要である（Ｌｅｈｎｅｒ ＣＦ， Ｊ． Ｃｅｌｌ Ｓｃｉ． （１９９２） １０３： １０２１−１０３０；Ｐｒｏｋｏｐｅｎｋｏ ＳＮ， ら．， Ｇｅｎｅｓ Ｄｅｖ （１９９９） １３（１７）： ２３０１−２３１４）。
【０００５】
（発明の概要）
本発明は、単離したヒトＥｃｔ２タンパク質、及びその断片及び誘導体だけでなくスプライス変異体を提供する。Ｅｃｔ２の産生方法及びＥｃｔ２を発現している細胞の産生方法だけでなく、Ｅｃｔ２分子を発現するベクター及び宿主細胞も記載されている。
【０００６】
本発明は、さらに、Ｅｃｔ２ポリペプチドとＥｃｔ２結合標的との相互作用を調節する薬剤に関するスクリーニング方法を提供する。一側面では、そのスクリーニング方法は、組み換えＥｃｔ２ポリペプチドを発現させること、そのポリペプチド及びＥｃｔ２結合標的を候補薬剤とインキュベートし、候補薬剤がＥｃｔ２ポリペプチドとＥｃｔ２結合標的との結合を調節するかどうかを確かめる段階を含む。好ましい調節薬剤には、Ｅｃｔ２特異的抗体及びハイスループットスクリーニングで同定された小分子が含まれる。
【０００７】
本発明は、さらに、Ｅｃｔ２活性を測定する新規ハイスループットアッセイを提供する。
【０００８】
（本発明の詳細な説明）
モデル生物体のゲノムをスクリーニング又は操作する能力は、複雑な遺伝的経路を分析する強力な手段を提供する。特に、ショウジョウバエでの過剰発現スクリーニングは、ヒトの遺伝的経路と同じ又は重複している経路に関わっている遺伝子の迅速な同定を可能にする（Ｒｏｒｔｈ Ｐ．，ら．， Ｄｅｖｅｌｏｐｍｅｎｔ（１９９８） １２５： １０４９−１０５７；国際公開第１５８４３号）。我々は、ショウジョウバエで過剰発現スクリーニングをおこない、サイクリン依存性キナーゼインヒビターであるｐ２１と相互作用する遺伝子を同定した（Ｂｏｕｒｎｅ ＨＲ， ら．， Ｎａｔｕｒｅ（１９９０） ３４８（６２９７）： １２５−１３２；Ｍａｒｓｈａｌｌ ＣＪ， Ｔｒｅｎｄｓ Ｇｅｎｅｔ（１９９１） ７（３）： ９１−９５）。ヒトＥｃｔ２のショウジョウバエオーソログ（ｏｒｔｈｏｌｏｇｕｅ）であるＰｅｂｂｌｅは、ｐ２１過剰発現のサプレッサーとして同定された。我々の知見では、Ｅｃｔ２と細胞周期のＧ１期の関連についての文献についての先行報告、又はＥｃｔ２の過剰発現によって細胞周期の遮断が克服されることを示唆するどんな証拠もない。ショウジョウバエｐ２１スクリーニングでのＥｃｔ２オーソログの我々の同定は、両方の結論を支持する。従って、Ｅｃｔ２は、その機能を調節する化合物及び他の薬剤を同定するために使用することができる価値ある「標的」であり、従って、Ｇ１期での欠陥のある細胞周期進行、特に欠陥ｐ２１機能に関連している疾病及び疾患の治療に用途がある。
【０００９】
（Ｅｃｔ２核酸及びポリペプチド）
我々は、公的データベースのバイオインフォーマティック分析、及び幾つかの未完成ＥＳＴ配列を「連続させる」ことによって、ヒトｅｃｔ２及びスプライス変異体（各々配列番号：１及び配列番号：３）のｃＤＮＡ配列を同定した（ＡＷ９６５９２０， ＡＩ９１６６７５， ＡＷ５０４７８６， ＢＥ０８０７１０， ＡＷ５０４４３３， ＢＥ０８０８６０， ＡＷ９７０８０２， ＡＡ２７９９４２， ＡＡ２０６４７３， ＡＡ３１３３０１）。プローブとして全又は部分的なｅｃｔ２ ｃＤＮＡ（配列番号：１及び３）配列を用いる、腫瘍試料のｍＲＮＡのノーザンブロット分析（Ｃｕｒｒｅｎｔ Ｐｒｏｔｏｃｏｌ ｉｎ Ｍｏｌｅｃｕｌａｒ Ｂｉｏｌｏｇｙ， 編． Ａｓｕｂｅｌ， ら．， Ｗｉｌｅｙ Ｉｎｔｅｒｓｃｉｅｎｃｅ， ニューヨーク）によって、Ｅｃｔ２を過剰発現する腫瘍を同定することが可能であり、従って、Ｅｃｔ２機能の阻害による治療に敏感に応答する。あるいは、ＴａｑＭａｎ（登録商標）法（ＰＥ Ａｐｐｌｉｅｄ Ｂｉｏｓｙｓｔｅｍｓ）のような定量的ＰＣＲを、腫瘍試料のＥｃｔ２発現の分析に使用する。
【００１０】
「Ｅｃｔ２ポリぺプチド」という用語は、完全長Ｅｃｔ２タンパク質又はその断片又は誘導体を指す。好ましいＥｃｔ２ポリペプチドは、配列番号：２又は４、又はその断片又は誘導体のアミノ酸配列を含むか又はそれから成る。Ｅｃｔ２ポリペプチドを含む組成物は、本質的にＥｃｔ２タンパク質、断片、又は誘導体で成り得るか、又は付加的な成分を含み得る（例えば、医薬的に許容可能な担体、賦形剤、培養培地等）。
【００１１】
Ｅｃｔ２タンパク質誘導体は、配列番号：２又は４、又はその断片とある程度の配列同一性又は配列類似性を共有する。ここで使用されるように、特定の対象配列、又はその特定部分に関する「パーセント（％）配列同一性」とは、配列を整列させ、最大のパーセント配列同一性を得るために必要ならば、検索パラメーターをデフォルト値に設定するプログラムＷＵ−ＢＬＡＳＴ−２．０ａ１９（Ａｌｔｓｃｈｕｌら．， Ｊ． Ｍｏｌ． Ｂｉｏｌ． （１９９７） ２１５： ４０３−４１０；ｈｔｔｐ：／／ｂｌａｓｔ． ｗｕｓｔｌ． ｅｄｕ／ｂｌａｓｔ／ＲＥＡＤＭＥ． ｈｔｍｌ）によって発生させる間隙を導入した後に、対象配列（又はその特定部分）のヌクレオチド又はアミノ酸と同一の候補誘導体配列中のヌクレオチド又はアミノ酸のパーセントとして定義される。ＨＳＰ Ｓ及びＨＳＰ Ｓ２パラメーターは、動的な値であり、特定の配列の組成物及び興味を持っている配列について検索する特定のデータベースの組成物に依存してプログラムそのものによって設定される。「％同一性値」とは、パーセント同一性が報告されている配列長で割った一致する同一ヌクレオチド又はアミノ酸の数によって決定される。「パーセント（％）アミノ酸配列類似性」とは、％アミノ酸同一性の場合と同様な計算を行うことにより決定されるが、コンピューター解析の結果得られる同一アミノ酸に加えて、保存的なアミノ酸置換を含むものである。保存的アミノ酸置換とは、タンパク質の折り畳み又は活性がそれほど重大な影響を受けないように、一のアミノ酸を類似の性質を有する他のアミノ酸と置換えることである。互いに置換可能な芳香族アミノ酸は、フェニルアラニン、トリプトファン、及びチロシンであり；互換的な疎水性アミノ酸は、ロイシン、イソロイシン、メチオニン、及びバリンであり；互換的な極性アミノ酸は、グルタミン及びアスパラギンであり；互換的な塩基性アミノ酸は、アルギニン、リジン及びヒスチジンであり；互換的な酸性アミノ酸は、アスパラギン酸及びグルタミン酸であり；互換的な小分子のアミノ酸は、アラニン、セリン、スレオニン、システイン、及びグリシンである。
【００１２】
好ましいＥｃｔ２タンパク質誘導体又は断片は、配列番号：２又は４の、少なくとも２５、５０、１００、２２４、又は２３４のアミノ酸の連続伸張、及びある場合には配列番号：２又は４と、少なくとも８０％の配列同一性又は類似性、好ましくは少なくとも８５％、さらに好ましくは少なくとも９０％、よりさらに好ましくは少なくとも９５％、そして最も好ましくは９７％又は１００％配列同一性又は類似性を共有する。
好ましいＥｃｔ２の誘導体又は断片は、配列番号：２の任意のアミノ酸残基１４７−２２７（ＢＲＣＴドメイン）、２３５−３２３（ＢＲＣＴドメイン）、３２７−３３０（ＣＤＣ２コンセンサス部位）、４１９−６１７（ＲＨＯＧＥＦドメイン）、６３６−７６５（ＰＨドメイン）、及び８１４−８１７（ＣＤＣ２コンセンサス部位）、又は配列番号：４の任意のアミノ酸残基１７８−２５８（ＢＲＣＴドメイン）、２６６−３５４（ＢＲＣＴドメイン）、３５８−３６１（ＣＤＣ２コンセンサス部位）、４５０−６４８（ＲＨＯＧＥＦドメイン）、６６７−７９６（ＰＨドメイン）、及び８４５−８４８（ＣＤＣ２ドメイン）と少なくとも８０％、好ましくは少なくとも８５％、より好ましくは少なくとも９０％、さらにより好ましくは少なくとも９５％、及び最も好ましくは１００％の配列同一性又は配列類似性を成す又は含むアミノ酸配列である。上述の各々は、各ドメイン（ＢＲＣＴドメイン：ＰＦ００５３３；ＲＨＯＧＥＦドメイン：ＰＦ００６２１；ＰＨドメイン：ＰＦ００１６９）の詳細な記載も含むｐｆａｍプログラム（Ｂａｔｅｍａｎら．， Ｎｕｃｌｅｉｃ Ａｃｉｄｓ Ｒｅｓ． （１９９９）２７：２６０−２６２；ｈｔｔｐ：／／ｐｆａｍ．ｗｕｓｔｌ．ｅｄｕ／）を用いて同定された。
【００１３】
Ｅｃｔ２タンパク質の断片又は誘導体は、好ましくは「機能的に活性」であり、これは、配列番号：２又は４のアミノ酸配列を含む完全長で野生型Ｅｃｔ２タンパク質と関連する１つ又は複数の機能的活性を示すことを意味する。一例として、断片又は誘導体は、Ｅｃｔ２タンパク質に対する抗体の生成に関してさらに下にて論じるような、免疫化に関する、Ｅｃｔ２活性の調節に関する等の免疫アッセイにて使用が可能である抗原性を有し得る。好ましくは、機能的に活性なＥｃｔ２断片又は抗体は、シグナル伝達活性、低分子ＧＴＰａｓｅｓとの結合、及び／又は低分子ＧＴＰａｓｅｓでのＧＤＰ／ＧＴＰ交換の触媒等の、Ｅｃｔ２タンパク質に関連する１つ又は複数の生物学的活性を示すものである。Ｅｃｔ２断片が調節剤を同定するためのアッセイに用いられるならば、この断片は、好ましくは上述のＥｃｔ２ドメインの１つ又は複数、又はＣ又はＮ末端を含み、そして好ましくは配列番号：１又は２の少なくとも１０，２０，２５，５０，２２４，又は２３４連続アミノ酸を含む。
【００１４】
「Ｅｃｔ２核酸」という用語は、Ｅｃｔ２ポリペプチドをコードするＤＮＡ又はＲＮＡ分子を指す。好ましくは、Ｅｃｔ２ポリペプチド又は核酸又はその断片はヒト（例えば、配列番号：１−４）由来であるが、それのオーソログ又は誘導体であり、好ましくは配列番号１−４のいずれか１つと少なくとも７０％，８０％，８５％，９０％又は９５％配列同一性がある。オーソログは、当該分野で知られている方法（Ｈｕｙｎｅｎ ＭＡ及びＢｏｒｋ Ｐ， Ｐｒｏｃ Ｎａｔｌ Ａｃａｄ Ｓｃｉ（１９９８） ９５：５８４９−５８５６；Ｈｕｙｎｅｎ ＭＡら．， Ｇｅｎｏｍｅ Ｒｅｓｅａｒｃｈ（２０００） １０：１２０４−１２１０）を用いて、配列番号２又は４を使用したＢＬＡＳＴ分析によって同定が可能である。
【００１５】
Ｅｃｔ２核酸及びポリペプチドの単離、産生、及び発現
幅広い種々の方法が、Ｅｃｔ２ポリペプチドを得ることにとって利用可能である。一般的に、ポリペプチドの意図的用途は、発現、産生、及び精製方法の詳細を指示する。例えば、調節剤のスクリーニングで使用するためのポリペプチドの産生は、これらタンパク質の特異的生物学的活性を保持する方法を必要とし得て、その一方で、抗体生成のためのポリペプチドの産生は、特定のエピトープの構造的統一性を必要とし得る。スクリーニング又は抗体産生のために精製されるべきポリペプチドの発現は、特定タッグの付加を必要とし得る（すなわち、融合タンパク質の生成）。タンパク質の発現、産生、及び精製に関する技術は、当該分野で良く知られている；そのために、任意の適切な手段が使用され得る（例えば、Ｈｉｇｇｉｎｓ ＳＪ 及び Ｈａｍｅｓ ＢＤ（編）Ｐｒｏｔｅｉｎ Ｅｘｐｒｅｓｓｉｏｎ： Ａ Ｐｒａｃｔｉｃａｌ Ａｐｐｒｏａｃｈ， オーックスフォード大学出版局株式会社，ニューヨーク１９９９；Ｓｔａｎｂｕｒｙ ＰＦら．， Ｐｒｉｎｃｉｐｌｅｓ ｏｆ Ｆｅｒｍｅｎｔａｔｉｏｎ Ｔｅｃｈｎｏｌｏｇｙ， 第２版， Ｅｌｓｅｖｉｅｒ Ｓｃｉｅｎｃｅ， ニューヨーク， １９９５；Ｄｏｏｎａｎ Ｓ（編） Ｐｒｏｔｅｉｎ Ｐｕｒｉｆｉｃａｔｉｏｎ Ｐｒｏｔｏｃｏｌｓ， Ｈｕｍａｎａ Ｐｒｅｓｓ， ニュージャージー， １９９６；Ｃｏｌｉｇａｎ ＪＥら， Ｃｕｒｒｅｎｔ Ｐｒｏｔｏｃｏｌｓ ｉｎ Ｐｒｏｔｅｉｎ Ｓｃｉｅｎｃｅ（編）， １９９９， Ｊｏｈｎ Ｗｉｌｅｙ ＆ Ｓｏｎｓ， ニューヨーク；米国特許第６，１６５，９９２号）。
【００１６】
Ｅｃｔ２ポリペプチドをコードするヌクレオチド配列は、挿入タンパク質コード化配列の発現のためのいかなる適切なベクターへも挿入が可能である。プロモーター／エンハンサーエレメントを含む必要な転写及び翻訳シグナルは、天然ｅｃｔ２遺伝子及び／又はそのフランキング領域から誘導することができ、又は非相同的であってよい。ｅｃｔ２遺伝子は、原核又は真核細胞で発現され得る。選択の方法は、タンパク質の意図的用途に依存する。特に、真核系は、天然フォールディング及び翻訳後修飾が必要な時に特に有用である。好ましい原核細胞には、大腸菌及びバチルス・スブチルスが含まれる。好ましい真核細胞には、哺乳動物細胞（例えば、ヒト、マウス、サル又はチャイニーズ・ハムスター卵巣細胞）、酵母（ピチア及びサッカロマイセス種）及び昆虫細胞（例えば、ショウジョウバエ及び種々の鱗翅目細胞株、例えばＳｆ９ 細胞）が含まれる。細胞抽出物又は上澄み液は、Ｅｃｔ２ポリペプチドを単離するために精製してもよい。好ましい精製技術には、ＨＰＬＣ、サイズ排除クロマトグラフィー、カチオン及びアニオン交換クロマトグラフィー、逆相クロマトグラフィー、アフィニティークロマトグラフィー及び当該分野で知られている他のタンパク質精製技術が含まれる。
【００１７】
Ｅｃｔ２ポリペプチドは、場合によっては、異種タンパク質配列と結合したペプチドを介して結合した融合、又はキメラ産物として発現させてもよい。例えば、Ｅｃｔ２ポリペプチドの検出及び／又は精製を容易にするために、Ｅｃｔ２発現ベクターコンストラクトは、Ｅｃｔ２コード化領域のＮ末端、Ｃ末端及び／又は遺伝子配列内の任意の位置に導入された１つ又は複数の抗体エピトープコード化配列を含んでもよい。適切な配列は、Ｍｙｃエピトープ、ＨＡエピトープ、ＦＬＡＧエピトープ又はポリヒスチジンエピトープを含む（例えば、Ｈａｒｌｏｗ及びＬａｎｅ（１９８８） Ａｎｔｉｂｏｄｉｅｓ， Ａ Ｌａｂｏｒａｔｏｒｙ Ｍａｎｕａｌ， コールド・スプリング・ハーバー研究所を参照せよ）。その他の例のように、Ｅｃｔ２ポリペプチドは、ＧＦＰ又はルシェフェラーゼのような転写レポーターと結合した融合タンパク質として発現してもよい。キメラタンパク質は、標準的方法を使用して、各々の所望するアミノ酸配列をコードする適切な核酸配列を適切なコード化フレームへライゲーションし、キメラ産物を発現させることによって生成することができる。また、キメラタンパク質は、例えば、ペプチドシンセサイザーを用いたタンパク質合成技術によって生成してもよい（Ｈｕｎｋａｐｉｌｌｅｒら．， Ｎａｔｕｒｅ（１９８４）３１０：１０５−１１１）。
【００１８】
Ｅｃｔ２の構造解析
単結晶Ｘ線結晶学による研究のＥｃｔ２−Ｇタンパク質（ＲｈｏＡ／Ｒａｃ／ＣＤＣ４２）系の成分の三次元構造は、Ｅｃｔ２とその標的Ｇタンパク質間のタンパク質−タンパク質認識の機構的詳細、グアニンヌクレオチド交換活性、治療的に有用な方法でこの活性を調節する低分子化合物の能力に対する洞察を提供する。
【００１９】
種々のＥｃｔ２ポリペプチドコンストラクトは、Ｘ線結晶学によって研究することができる、例えば完全長野生型ヒトＥｃｔ２；機構的生化学的アッセイによって示された関連点変異を有する完全長ヒトＥｃｔ２；ヒトＥｃｔ２のＲｈｏＧＥＦドメインのサブコンストラクト（配列番号：２の残基４１９−６１７、又は配列番号：４の４５０−６４８）；関連点変異を有するヒトＥｃｔ２のＲｈｏＧＥＦドメインのコンストラクト（ＧＥＦ活性を増強、減少、又は抑止する）；ヒトＥｃｔ２のＲｈｏＧＥＦ及びＰＨドメインのサブコンストラクト（配列番号：２の残基４１９−７６５、又は配列番号：４の４５０−７９６）；関連点変異を有するヒトＥｃｔ２のＲｈｏＧＥＦ及びＰＨドメインのコンストラクト（ＧＥＦ活性を増強、減少、又は抑止する）；上記コンストラクトの任意のものでそれらの天然型、又はＮ末端タッグを有するもの、又はＮ末端ＧＳＴ融合タンパク質を有するもの；上記コンストラクトの任意のものでリン酸化又は脱リン酸化型；ＧＥＦ活性の低分子調節因子との複合体をなす上述の任意のもので化合物ライブラリから選択したもの。
【００２０】
これらＥｃｔ２ポリペプチド及び複合体の結晶構造は、標準的技術を用いて決定することができる（Ｂｅｒｇｆｏｒｓ， Ｔ．， 編．， １９９９， 「Ｐｒｏｔｅｉｎ Ｃｒｙｓｔａｌｌｉｚａｔｉｏｎ： Ｔｅｃｈｎｉｑｕｅｓ， Ｓｔｒａｔｅｇｉｅｓ， ａｎｄ Ｔｉｐｓ」Ｉｎｔｅｒｎａｔｉｏｎａｌ Ｕｎｉｖｅｒｓｉｔｙ Ｌｉｎｅ， ラ・ホーヤ， カリフォルニア， アメリカ合衆国）。結晶化は、例えば、ハンギングドロップ、シッティングドロップ、サンドイッチドロップ、キャピラリー拡散、ゲル平衡化等の種々の結晶化幾何学における「インコンプリートファクトリアルスクリーニング」の標準技術を用いた「結晶化空間」のスクリーニングを介して完遂する（ＭｃＰｈｅｒｓｏｎ， Ａ．， １９８９， 「Ｐｒｅｐａｒａｔｉｏｎ ａｎｄ Ａｎａｌｙｓｉｓ ｏｆ Ｐｒｏｔｅｉｎ Ｃｒｙｓｔａｌｓ」Ｒ． Ｅ． Ｋｒｉｅｇｅｒ Ｐｕｂｌｉｓｈｉｎｇ Ｃｏ．， Ｍａｌａｂａｒ， フロリダ， アメリカ合衆国）。回析データは、陽極Ｘ線発生装置を回転させること及びシンクロトンソースの双方に関する回転法（Ｂｌｕｎｄｅｌｌ， Ｔ．Ｌ．， Ｊｏｈｎｓｏｎ， Ｌ．Ｎ．， １９７６， 「Ｐｒｏｔｅｉｎ Ｃｒｙｓｔａｌｌｏｇｒａｐｈｙ」Ａｃａｄｅｍｉｃ Ｐｒｅｓｓ， Ｈａｒｃｏｕｒｔ Ｂｒａｃｅ Ｊｏｖａｎｏｖｉｃｈ， Ｐｕｂｌｉｓｈｅｒｓ；Ｌｏｎｄｏｎ；Ｓｔｏｕｔ ＆ Ｊｅｎｓｅｎ， １９８９， 「Ｘ−ｒａｙ Ｓｔｒｕｃｔｕｒｅ Ｄｅｔｅｒｍｉｎａｔｉｏｎ， Ａ Ｐｒａｃｔｉｃａｌ Ｇｕｉｄｅ」Ｊｏｈｎ Ｗｉｌｅｙ ＆ Ｓｏｎｓ， Ｐｕｂｌｉｓｈｅｒｓ， ニューヨーク）を介してこれら結晶から収集できる。結晶構造は、分子置換（ＭＲ）、単一同型置換法（ＳＩＲ）を介した重原子位相調整、異常分散による単一同型置換法（ＳＩＲＡＳ）を介した重原子位相調整、多重同型置換（ＭＩＲ）を介した重原子位相調整、異常分散による多重同型置換（ＭＩＲＡＳ）を介した重原子位相調整、及び／又はメチオニンのセレノメチオニンによる同型置換法を介する重原子位相調整、及び「多波長異常分散法」（ＭＡＤ）等のこの分野の標準的技術によって決定される（Ｂｌｕｎｄｅｌｌ ＆ Ｊｏｈｎｓｏｎ；上掲；Ｓｔｏｕｔ＆Ｊｅｎｓｅｎ， 上掲；Ｂｅｌｌａ， Ｊ．；Ｒｏｓｓｍａｎｎ， Ｍ．Ｇ．， １９９８， Ａｃｔａ Ｃｒｙｓｔａｌｌｏｇｒ Ｄ Ｂｉｏｌ Ｃｒｙｓｔａｌｌｏｇｒ， ５４（Ｐｔ ２）， １５９−７４；Ｆａｎｃｈｏｎ， Ｅ．；Ｈｅｎｄｒｉｃｋｓｏｎ， Ｗ． Ａ．， Ａｃｔａ Ｃｒｙｓｔａｌｌｏｇｒ Ａ １９９０ １０月１；４６（Ｐｔ １０）：８０９−２０；Ｈｅｎｄｒｉｃｋｓｏｎ ＷＡ；ら．， Ｐｒｏｔｅｉｎｓ， １９８８ ４（２）， ７７−８８；Ｐａｈｌｅｒ， Ａ．； ら．， １９９０， Ａｃｔａ Ｃｒｙｓｔａｌｌｏｇｒａｐｈｉｃａ． セクションＡ， Ｃｒｙｓｔａｌ ｐｈｙｓｉｃｓ， Ｄｉｆｆｒａｃｔｉｏｎ， Ｔｈｅｏｒｅｔｉｃａｌ ａｎｄ Ｇｅｎｅｒａｌ Ｃｒｙｓｔａｌｌｏｇｒａｐｈｙ， ４６（Ｐｔ ７）， ５３７−４０；Ｔｅｒｗｉｌｌｉｇｅｒ， Ｔ．Ｃ．， Ｂｅｒｅｎｄｚｅｎ， Ｊ．， １９９９， Ａｃｔａ Ｃｒｙｓｔａｌｌｏｇｒａｐｈｉｃａ， セクションＤ， Ｂｉｏｌｏｇｉｃａｌ Ｃｒｙｓｔａｌｌｏｇｒａｐｈｙ， ５５（Ｐｔ ４）， ８４９−６���；及びＷａｌｓｈ， Ｍ．Ａ．， ら．， １９９９ Ａｃｔａ Ｃｒｙｓｔａｌｌｏｇｒ Ｄ Ｂｉｏｌ Ｃｒｙｓｔａｌｌｏｇｒ， ５５（Ｐｔ １０）， １７２６−３２）。
【００２１】
機能の検証
一般的に、機能的アッセイは、Ｅｃｔ２遺伝子の関与及びｐ２１関連経路のそのオーソログを確かめるために用いる。ｐ２１経路のＥｃｔ２の機能の検証に関する種々の好ましいアッセイは、発現解析、及び細胞形質転換、増殖、細胞周期、アポトーシス、及び低酸素誘導アッセイ、その他を含む。
【００２２】
Ｅｃｔ２に関する好ましい機能の検証は、発現解析である。改変したＥｃｔ２発現が腫瘍形成能、又はその他のｐ２１関連表現型と関連しているかどうかを評価するのに幾つかの方法が利用可能である。これらには、ノーザンブロッティング、スロットブロッティング、リボヌクレアーゼ保護、定量的ＲＴ−ＰＣＲ、及びマイクロアレイ解析が含まれる（例えば、Ｃｕｒｒｅｎｔ Ｐｒｏｔｏｃｏｌｓ ｉｎ Ｍｏｌｅｃｕｌａｒ Ｂｉｏｌｏｇｙ （１９９４） Ａｕｓｕｂｅｌ ＦＭら．， 編．， Ｊｏｈｎ Ｗｉｌｅｙ ＆ Ｓｏｎｓ， Ｉｎｃ．， 第４章 Ｆｒｅｅｍａｎ ＷＭら．， Ｂｉｏｔｅｃｈｎｉｑｕｅｓ（１９９９） ２６： １１２−１２５；Ｋａｌｌｉｏｎｉｅｍｉ ＯＰ， Ａｎｎ Ｍｅｄ ２００１， ３３： １４２−１４７；ＢｌｏＭＰ２１ ＤＨ及びＧｕｉｓｅｐｐｉ−Ｅｌｉｅ， Ａ Ｃｕｒｒ Ｏｐｉｎ Ｂｉｏｔｅｃｈｎｏｌ ２００１， １２： ４１−４７）。一例では、全又は一部のＥｃｔ２ ｃＤＮＡ配列をプローブとする腫瘍及び細胞株、及び同じ患者の腫瘍及び一致する正常組織試料のｍＲＮＡのノーザンブロット解析によって、特定の腫瘍がＥｃｔ２を過剰発現するかどうかを確かめることができる。あるいは、ＴａｑＭａｎ（登録商標）は、細胞株、正常組織及び腫瘍試料におけるＥｃｔ２発現の定量的ＲＴ−ＰＣＲ解析のために使用する（ＰＥ Ａｐｐｌｉｅｄ Ｂｉｏｓｙｓｔｅｍｓ）。
【００２３】
アポトーシス、細胞増殖、細胞周期、細胞形質転換、及び低酸素誘導アッセイは、通常は、野生型とＥｃｔ２タンパク質の発現が改変した細胞株のこれら細胞事象を比較することが含まれる。これらのアッセイでは、上記のように発現解析によって同定されたような腫瘍又は他の細胞又はＥｃｔ２タンパク質の発現が増加又は減少した細胞株を使用してもよい。あるいは、このアッセイは、上記の発現方法を用いて、Ｅｃｔ２タンパク質を特異的に過剰発現するように操作した細胞を用いてもよい。このアッセイは、さらに下に記載のような、ＲＮＡ阻害（Ｅｌｂａｓｈｉｒ ＳＭら． Ｎａｔｕｒｅ ２００１， ４１１： ４９４−４９８）によって、又はアンチセンスオリゴマーを使用して、Ｅｃｔ２タンパク質の発現を破壊するように特異的に操作した細胞も使用してもよい。
【００２４】
アポトーシスに関するアッセイは、末端デオキシヌクレオチジルトランスフェラーゼ媒介ジゴキシゲニン−１１−ｄＵＴＰニック末端標識（ＴＵＮＥＬＬ）アッセイによっておこなってもよい。ＴＵＮＥＬアッセイは、後にフルオレセイン−ｄＵＴＰの取り込み（Ｙｏｎｅｈａｒａら．， １９８９， Ｊ． Ｅｘｐ． Ｍｅｄ． １６９， １７４７）を続けることによって、アポトーシスの核ＤＮＡ断片化特性を測定するために使用される。アポトーシスは、組織培養細胞のアクリジン・オレンジ染色によってさらにアッセイすることができる（Ｌｕｃａｓ， Ｒ．， ら．， １９９８， Ｂｌｏｏｄ １５： ４７３０−４１）。
【００２５】
細胞増殖は、ブロモデオキシウリジン（ＢＲＤＵ）の取り込みを介してアッセイすることができる。このアッセイでは、ＢＲＤＵの新しく合成されたＤＮＡへの取り込みによって、ＤＮＡ合成中の細胞集団が同定される。新しく合成されたＤＮＡは、次いで、抗ＢＲＤＵ抗体を用いて検出することができる（Ｈｏｓｈｉｎｏら．， １９８６， Ｉｎｔ． Ｊ． Ｃａｎｃｅｒ ３８， ３６９；Ｃａｍｐａｎａら．， １９８８， Ｊ． Ｉｍｍｕｎｏｌ． Ｍｅｔｈ． １０７， ７９）。細胞増殖は、また、［３Ｈ］−チミジン取り込みを利用して調べることができる（Ｃｈｅｎ， Ｊ．， １９９６， Ｏｎｃｏｇｅｎｅ １３：１３９５−４０３；Ｊｅｏｕｎｇ， Ｊ．， １９９５， Ｊ． Ｂｉｏｌ． Ｃｈｅｍ． ２７０： １８３６７−７３）。このアッセイは、Ｓ期ＤＮＡ合成の定量的特徴付けを可能にする。このアッセイでは、ＤＮＡを合成している細胞は、新しく合成されたＤＮＡへ［３Ｈ］−チミジンを取り込む。次いで、取り込みは、例えば、シンチレーションカウンターによる放射性同位体の計測による標準技術によって測定が可能である（例えば、Ｂｅｃｋｍａｎ ＬＳ ３８００ 液体シンチレーションカウンター）。細胞増殖は、また、軟寒天でのコロニー形成によってアッセイしてもよい（Ｓａｍｂｒｏｏｋら．， Ｍｏｌｅｃｕｌａｒ Ｃｌｏｎｉｎｇ， コールド・スプリング・ハーバー（１９８９））。Ｅｃｔ２で形質転換した細胞を軟寒天プレートに播種し、コロニーを２週間のインキュベーション後に測定し計測する。
【００２６】
血管形成は、臍静脈、冠動脈、又は皮膚細胞等の種々のヒト内皮細胞系を用いてアッセイし得る。このアッセイは、増殖を測定するためのアラマーブルーに基づくアッセイ（Ｂｉｏｓｏｕｒｃｅ Ｉｎｔｅｒｎａｔｉｏｎａｌから入手可能）；蛍光分子を用いるマイグレーションアッセイ、例えばＢｅｃｔｏｎ Ｄｉｃｋｉｎｓｏｎ Ｆａｌｃｏｎ ＨＴＳ ＦｌｕｏｒｏＢｌｏｃｋ 細胞培養挿入物を使用して血管形成エンハンサー又はサプレッサーの存在又は非存在下で膜を通じての細胞の移動を測定すること；又はＭａｔｒｉｇｅｌ（商品名）（ベクトン・ディッキンソン）上での内皮細胞による管状構造の形成に基づく管状形成を含み得る。
【００２７】
細胞周期における遺伝子の関与は、フローサイトメトリーによってアッセすることができる。Ｅｃｔ２でトランスフェクトした細胞は、ヨウ化プロピジウムで染色し、フロー・サイトメーターで評価することができる（ベクトン・ディッキンソンから入手可能）。
【００２８】
低酸素条件による誘導は、低酸素条件（例えば、Ｎａｐｃｏ７００１インキュベーター（Ｐｒｅｃｉｓｉｏｎ Ｓｃｉｅｎｔｉｆｉｃ）で発生させる０．１％Ｏ２，５％ＣＯ２，及び平衡Ｎ２）及びｎｏｒｍｏｘｉｃ条件でＭＰ２１によりトランスフェクトした成長細胞によってアッセイし、Ｔａｑｍａｎ（登録商標）による遺伝子活性又は発現の評価を続けることができる。
【００２９】
遺伝的に改良した動物の産生
本発明の方法では、遺伝的に改良して、Ｅｃｔ２及び／又はｐ２１等の細胞周期のＧ１期の制御に関与していることが知られている他の遺伝子の発現を改変した非ヒト動物を用いることができる。好ましい遺伝的に改良した動物は哺乳動物である。好ましい非哺乳動物種は、ゼブラフィッシュ、線虫、及びショウジョウバエを含む。好ましくは、改変Ｅｃｔ２又は他の遺伝子発現は、検出可能な表現型、例えば、改変遺伝子の正常な発現を有するコントロール動物に対して増加又は減少した細胞増殖を引き起こす。遺伝的に改良した動物は、下に記載のように、細胞増殖疾患に関連する症状の動物モデル、及び候補治療薬のインビボ試験のために、ｐ２１経路をさらに解明するために用いることができる。
【００３０】
好ましい遺伝的に改良した動物はトランスジェニックであり、少なくとも、安定なゲノム挿入又は細胞外染色体エレメントのいずれかとして存在する非天然核酸をそれらの一部分は有していて、典型的にはモザイクである。好ましいトランスジェニック動物は、子孫動物の全ての細胞に安定に伝達される生殖細胞挿入物を有する。
【００３１】
非天然核酸は、任意の便宜的方法によって宿主動物へ導入される。トランスジェニック非ヒト動物を作製する方法は、当該分野で良く知られている（マウスについては、Ｂｒｉｎｓｔｅｒら．， Ｐｒｏｃ． Ｎａｔ． Ａｃａｄ． Ｓｃｉ． ＵＳＡ １９８５， ８２： ４４３８−４２；米国特許第４，７３６，８６６， ４，８７０，００９， ４，８７３，１９１， ６，１２７，５９８号；Ｈｏｇａｎ， Ｂ．， Ｍａｎｉｐｕｌａｔｉｎｇ ｔｈｅ Ｍｏｕｓｅ Ｅｍｂｒｙｏ， コールド・スプリング・ハーバー研究所出版， コールド・スプリング・ハーバー， ニューヨーク， （１９８６）を参照せよ；相同組み換えについては、Ｃａｐｅｃｃｈｉ， Ｓｃｉｅｎｃｅ １９８９， ２４４： １２８８−１２９２；Ｊｏｙｎｅｒら．， Ｎａｔｕｒｅ １９８９， ３３８： １５３−１５６を参照せよ；微粒子銃については、米国特許第４，９４５，０５０号を参照せよ；ショウジョウバエについては、Ｒｕｂｉｎ及びＳｐｒａｄｌｉｎｇ， Ｓｃｉｅｎｃｅ （１９８２）２１８： ３４８−５３， 米国特許第４，６７０， ３８８号を参照せよ；トランスジェニック昆虫については、Ｂｅｒｇｈａｍｍｅｒ Ａ． Ｊ． ら．， Ｎａｔｕｒｅ １９９９， ４０２： ３７０−３７１を参照せよ；ゼブラフィッシュについては、Ｌｉｎ Ｓ． Ｍｅｔｈｏｄｓ Ｍｏｌ． Ｂｉｏｌ． （２０００）； １３６： ３７５−３８３０を参照せよ；魚類、両生類及び鳥類については、Ｈｏｕｄｅｂｉｎｅ及びＣｈｏｕｒｒｏｕｔ， Ｅｘｐｅｒｉｅｎｔｉａ（１９９１） ４７： ８９７−９０５を参照せよ；ラットについては、Ｈａｍｍｅｒら．， Ｃｅｌｌ（１９９０）６３： １０９９−１１１２を参照せよ；胚幹（ＥＳ）細胞については、Ｔｅｒａｔｏｃａｒｃｉｎｏｍａｓ及びＥｍｂｒｙｏｎｉｃ Ｓｔｅｍ Ｃｅｌｌｓ， Ａ Ｐｒａｃｔｉｃａｌ Ａｐｐｒｏａｃｈ， Ｅ． Ｊ． Ｒｏｂｅｒｔｓｏｎ， 編．， ＩＲＬ Ｐｒｅｓｓ（１９８７）を参照せよ：家畜については、Ｐｕｒｓｅｌら．， Ｓｃｉｅｎｃｅ（１９８９） ２４４： １２８１−１２８８を参照せよ；非ヒト動物クローンについては、Ｗｉｌｍｕｔ， Ｉ． ら．（１９９７）Ｎａｔｕｒｅ ３８５： ８１０−８１３， 国際公開公報第９７／０７６６８号及び国際公開公報第９７／０７／７６６９号を参照せよ；制御導入遺伝子発現に関するリコンビナーゼ系としては、Ｌａｋｓｏら．， ＰＮＡＳ（１９９２） ８９： ６２３２−６２３６；米国特許第４，９５９，３１７号［ｃｒｅ． ｌｏｘＰに関して］及びＯ’Ｇｏｒｍａｎら．， Ｓｃｉｅｎｃｅ （１９９１）２５１： １３５１−１３５５；米国特許第５，６５４，１８２号［ＦＬＰ／ＦＲＴに関して］を参照せよ。
【００３２】
トランスジェニック動物のゲノムにおけるホモ接合性又はヘテロ接合性改変は、異所性発現、過剰発現（例えば、同義遺伝子コピーによる）、下方発現、及び非発現（例えば、別な方法で通常は起こる遺伝子ノックアウト又はブロッキング発現による）を含む天然遺伝子の発現の間違いを引き起こす結果となる得る。１つの用途では、「ノックアウト」動物は、典型的には、内因性遺伝子の改変が、遺伝子機能という点で、好ましくは遺伝子発現が検出不可能又は有意ではないような低下を引き起こす相同組み換えを利用して作製される。
【００３３】
Ｅｃｔ２調節剤
本発明は、Ｅｃｔ２の機能及び／又はｐ２１経路と相互作用及び／又は調節する薬剤を同定する方法を提供する。そのような薬剤は、Ｅｃｔ２タンパク質及びそのｐ２１経路への貢献のさらなる分析と同時に、欠陥ｐ２１経路に関与する疾病又は疾患と関連する種々の診断及び治療用途にとって有用である。従って、本発明は、Ｅｃｔ２相互作用又は調節剤を投与することによってＥｃｔ２活性を特異的に調節する段階を含むｐ２１経路を調節する方法をも提供する。
【００３４】
好ましい実施態様では、Ｅｃｔ２調節剤は、転写、タンパク質発現、タンパク質局在化、及び細胞性又は細胞外活性を含む、Ｅｃｔ２活性又はそうでなければ正常なＥｃｔ２機能に作用する。さらなる好ましい実施態様では、候補ｐ２１経路調節剤は、Ｅｃｔ２の機能を特異的に調節する。「特異的調節剤」、「特異的に調節する」等の語句は、ここで、Ｅｃｔ２ポリペプチド又は核酸と直接に結合し、好ましくはＥｃｔ２の機能を阻害、増強、そうでなければ改変する調節剤を指す。この用語は、また、Ｅｃｔ２の結合パートナー又は基質との相互作用を改変する調節剤を含む（例えば、Ｅｃｔ２の結合パートナーとの、又はタンパク質／結合パートナー複合体との結合、及び阻害機能によって）。
【００３５】
好ましいＥｃｔ２調節剤は、小分子化学剤、抗体及び他の生物療法剤を含むＥｃｔ２相互作用タンパク質、及びアンチセンスオリゴマー及びＲＮＡを含む核酸調節因子を含む。この調節剤は、例えば、他の活性成分を含み得る組成物として、組み合わせ療法、及び／又は適切な担体又は賦形剤として、医薬的組成物で製剤化され得る。生物療法剤を製剤化する方法は、米国特許第６，１４６，６２８号に詳しく記載されている。化合物の製剤化及び投与に関する技術は、「Ｒｅｍｉｎｇｔｏｎ’ｓ Ｐｈａｒｍａｃｅｕｔｉｃａｌ Ｓｃｉｅｎｃｅｓ」Ｍａｃｋ Ｐｕｂｌｉｓｈｉｎｇ Ｃｏ．， Ｅａｓｔｏｎ， ＰＡ， 第１９版に見出すことができる。
【００３６】
小分子調節因子
小分子調節因子は、典型的には、有機、非ペプチド分子で、１０，０００未満、好ましくは５，０００未満、より好ましくは１，０００未満、及び最も好ましくは５００未満の分子量を有する。このクラスの調節因子は、化学的に合成した分子、例えば、コンビナトリアル化学ライブラリからの化合物を含む。小分子調節因子は、既知の構造特性、例えば、上記の方法を用いた識別を基にして合理的に設計し得る。パートナーであるＧタンパク質（ＲｈｏＡ／Ｒａｃ／ＣＤＣ４２）との複合体であるＥｃｔ２の構造は、ＧＥＦ活性に必要なタンパク質−タンパク質相互作用の詳細を示し、これら相互作用の機構を調節する小分子化合物の合理的設計を補助するために利用でき、それによってＧＥＦの機能性を破壊する。ＧＥＦ活性を調節する役割をする小分子リガンドとの複合体であるＥｃｔ２ポリペプチドの構造は、触媒部位に直接関わる又は活性部位にアロステリック作用を発揮するかのいずれかであるＥｃｔ２分子の部分を描写し、それによってＧＥＦ活性を調節する。Ｅｃｔ２／ＧＥＦ活性のこれらモジュレーターは、セリン５７１（．．．ＲＬＰＳＶＡ．．．）のような中央残基の２５Å、２０Å、１５Å、１０Å、５Å、又は１．８Åの半径内に結合し、それによってＧＥＦ活性を調節する生産的な結合方法を明らかにする。小分子調節因子は、スクリーング化合物ライブラリによっても同定され得る。
【００３７】
代替小分子調節因子には、天然産物、特に植物又は糸状菌などの生物体の二次代謝物が含まれ、それらは、Ｅｃｔ２調節因子活性に関するスクリーニング化合物ライブラリによっても同定が可能である。化合物を生成して得るための方法は、当該分野で良く知られている（Ｓｃｈｒｅｉｂｅｒ ＳＬ， Ｓｃｉｅｎｃｅ（２０００） １５１： １９６４−１９６９；Ｒａｄｍａｎｎ Ｊ及びＧｕｎｔｈｅｒ Ｊ， Ｓｃｉｅｎｃｅ（２０００） １５１： １９４７−１９４８）。
【００３８】
下に記載のスクリーニングアッセイから同定された小分子調節因子は、候補臨床用化合物を設計、最適化、そして合成することができるリード化合物として使用することが可能である。そのような臨床化合物は、欠損ｐ２１シグナル伝達に関与する病状を治療することに用途がある可能性がある。候補小分子調節剤の活性は、さらに下に記載のように、繰り返し二次機能検証、構造決定、そして候補調節因子修飾及び試験を介して数倍向上させることができる。さらには、候補臨床化合物は、特に臨床及び薬学的特性に関して生成される。例えば、試薬は、医薬開発に関する活性を最適化し、毒性を最小化するために、インビトロ及びインビボアッセイを使用して誘導体化及び再スクリーニングされ得る。
【００３９】
タンパク質調節因子
Ｅｃｔ２相互作用タンパク質は内因性、すなわち、正常にＥｃｔ２と遺伝的又は生化学的に相互作用するものであり、例えば、Ｅｃｔ２発現、局在化、及び／又は活性を調節するｐ２１経路のメンバーである。Ｅｃｔ２調節因子は、Ｅｃｔ２相互作用タンパク質及びＥｃｔ２タンパク質自体のドミナントネガティブ型を含む。酵母ツーハイブリッド及び変異体スクリーニングは、内因性のＥｃｔ２相互作用を同定するための好ましい方法を提供する（Ｆｉｎｌｅｙ， Ｒ． Ｌ．ら． （１９９６） ｉｎ ＤＮＡ Ｃｌｏｎｉｎｇ−Ｅｘｐｒｅｓｓｉｏｎ Ｓｙｓｔｅｍｓ：Ａ Ｐｒａｃｔｉｃａｌ Ａｐｐｒｏａｃｈ， 編． Ｇｌｏｖｅｒ Ｄ． ＆ Ｈａｍｅｓ Ｂ． Ｄ （オックスフォード大学出版局， オックスフォード， イギリス）， １６９−２０３項；Ｆａｓｈｅｍａ ＳＦら．， Ｇｅｎｅ （２０００） ２５０： １−１４；Ｄｒｅｅｓ ＢＬ Ｃｕｒｒ Ｏｐｉｎ Ｃｈｅｍ Ｂｉｏｌ（１９９９）３：６４−７０；Ｖｉｄａｌ Ｍ及びＬｅｇｒａｉｎ Ｐ Ｎｕｃｌｅｉｃ Ａｃｉｄｓ Ｒｅｓ （１９９９） ２７： ９１９−２９；及び米国特許第５，９２８，８６８号）。質量分析は、タンパク質複合体の解明に関する別の好ましい方法を提供する（例えば、Ｐａｎｄｌｅｙ Ａ及びＭａｎｎ Ｍ， Ｎａｔｕｒｅ （２０００）４０５： ８３７−８４６；Ｙａｔｅｓ ＪＲ 第３版， Ｔｒｅｎｄｓ Ｇｅｎｅｔ （２０００） １６： ５−８に概説されている）。
【００４０】
Ｅｃｔ２相互作用タンパク質は、Ｅｃｔ２特異的抗体又はＴ細胞抗原レセプターのような外因性タンパク質であり得る（例えば、Ｈａｒｌｏｗ及びＬａｎｅ（１９９８） Ａｎｔｉｂｏｄｉｅｓ， Ａ Ｌａｂｏｒａｔｏｒｙ Ｍａｎｕａｌ， コールド・スプリング・ハーバー研究所）。Ｅｃｔ２抗体は、下でさらに論じられる。
【００４１】
１つの好ましい実施態様では、Ｅｃｔ２相互作用タンパク質は、Ｅｃｔ２タンパク質と特異的に結合する。別の好ましい実施態様では、Ｅｃｔ２調節剤は、Ｅｃｔ２基質、結合パートナー、又は補因子と結合する。Ｅｃｔ２相互作用タンパク質を低分子量調節因子を同定するためのスクリーニングに使用した場合、ある用途では、Ｅｃｔ２タンパク質への相互作用タンパク質の結合特異性は、結合平衡常数（通常は、少なくとも約１０７Ｍ−１、好ましくは少なくとも約１０８Ｍ−１、より好ましくは少なくとも約１０９Ｍ−１）及び免疫原性特性を含む種々の既知の方法によってアッセイされる。酵素及びレセプターに関しては、結合は、各々基質及びリガンドプロセッシングによってアッセイされ得る。
【００４２】
特異的抗体
好ましい実施態様では、Ｅｃｔ２相互作用タンパク質は抗体である。Ｅｃｔ２ポリペプチドと特異的に結合する抗体は、既知の方法を使用して生成することができる。好ましくは、この抗体は、哺乳動物Ｅｃｔ２ポリペプチドに対して特異的であり、より好ましくは、ヒトＥｃｔ２である。抗体は、ポリクローナル、モノクローナル（ｍＡｂｓ）、ヒト化又はキメラ抗体、一本鎖抗体、Ｆａｂ断片、Ｆ（ａｂ’）．ｓｕｂ．２断片、ＦＡｂ発現ライブラリによって産生された断片、抗イディオタイプ（抗Ｉｄ）抗体、及び上のいずれかのエピトープ結合断片であってもよい。１０８Ｍ−１、好ましくは１０９Ｍ−１から１０１０Ｍ−１、又はより強い親和性のモノクローナル抗体は、記載のように標準的手法で作製できる（Ｈａｒｌｏｗ及びＬａｎｅ， Ａｎｔｉｂｏｄｉｅｓ： Ａ Ｌａｂｏｒａｔｏｒｙ Ｍａｎｕａｌ， ＣＳＨ Ｌａｂｏｒａｔｏｒｙ （１９８８）；Ｇｏｄｉｎｇ（１９８６） Ｍｏｎｏｃｌｏｎａｌ Ａｎｔｉｂｏｄｉｅｓ：Ｐｒｉｎｃｉｐｌｅｓ ａｎｄ Ｐｒａｃｔｉｃｅ（第２版）Ａｃａｄｅｍｉｃ Ｐｒｅｓｓ， ニューヨーク；及び米国特許第４，３８１，２９２号；第４，４５１，５７０号；及び第４，６１８，５７７号）。抗体は、Ｅｃｔ２を発現する細胞の抽出物に対して、又は十分に精製したＥｃｔ２又はその断片から作製することができる。Ｅｃｔ２断片が使用される場合、それらは、好ましくは、少なくとも１０、及びより好ましくは少なくともＥｃｔ２タンパク質の２０連続アミノ酸を含む。特定の実施態様では、Ｅｃｔ２特異的抗原及び／又は免疫原は、免疫応答を刺激するキャリアータンパク質と結合している。例えば、対象のポリペプチドは、キーホールリンペットヘモシアニン（ＫＬＨ）キャリアーと共有結合的に結合し、そのコンジュゲートは、完全フロインドアジュバントに乳化されていて、免疫応用を増強する。研究室用ラビット又はマウスなどのふさわしい免疫系は、常套的プロトコールに従って免疫化される。
【００４３】
Ｅｃｔ２特異的抗体の存在は、固定化した対応するＥｃｔ２ポリペプチドを使用して、固相酵素結合免疫吸着アッセイ（ＥＬＩＳＡ）等のふさわしいアッセイによってアッセイされる。ラジオイムノアッセイ又は蛍光アッセイ等の他のアッセイも使用することができる。
【００４４】
Ｅｃｔ２ポリペプチドに対して特異的なキメラ抗体は、異なる動物種からの異なる部分を含むように作製できる。例えば、ヒト免疫グロブリン定常領域は、抗体がその生物学的活性をヒト抗体から導き出し、その結合特異性をマウス断片から導き出すように、マウスｍＡｂの可変領域と結合することができる。キメラ抗体は、各種の適切な領域をコードする遺伝子を一緒にスプライシングすることによって産生される（Ｍｏｒｒｉｓｏｎら．， Ｐｒｏｃ． Ｎａｔｌ． Ａｃａｄ． Ｓｃｉ． （１９８４） ８１： ６８５１−６８５５；Ｎｅｕｂｅｒｇｅｒら．， Ｎａｔｕｒｅ（１９８４）３１２： ６０４−６０８；Ｔａｋｅｄａら．， Ｎａｔｕｒｅ（１９８５）３１： ４５２−４５４）。キメラ抗体の１つの型であるヒト化抗体は、組み換えＤＮＡ技術によって、マウス抗体の相補鎖決定領域（ＣＤＲｓ）（Ｃａｒｌｏｓ， Ｔ． Ｍ．， Ｊ． Ｍ． Ｈａｒｌａｎ．， Ｂｌｏｏｄ （１９９４） ８４： ２０６８−２１０１）をヒトフレームワーク領域のバックグラウンド及び定常領域へ移植することで作製できる（Ｒｉｅｃｈｍａｎｎ ＬＭ， ら．， Ｎａｔｕｒｅ （１９８８） ３２３： ３２３−３２７）。ヒト化抗体は、〜１０％マウス配列及び〜９０％ヒト配列を含み、それ故に、抗体特異性を保持する一方で、免疫原性をさらに低下させるか又は除去する（Ｃｏ ＭＳ， 及びＱｕｅｅｎ Ｃ．， Ｎａｔｕｒｅ（１９９１）３５１：５０１−５０１；Ｍｏｒｒｉｓｏｎ ＳＬ．， Ａｎｎ． Ｒｅｖ． Ｉｍｍｕｎ． （１９９２） １０： ２３９−２６５）。ヒト化抗体及びそれらの産生の方法は、当該分野で良く知られている（米国特許第５，５３０，１０１；５，５８５，０８９；５，６９３，７６２，及び６，１８０，３７０号）。
【００４５】
組み換え体であるＥｃｔ２特異的一本鎖抗体、アミノ酸架橋を介してＦｖ領域の重鎖及び軽鎖断片を結合させることで形成させた一本鎖ポリペプチドを産生させることができる（米国特許第４，９４６，７７８号；Ｂｉｒｄ， Ｓｃｉｅｎｃｅ（１９８８）２４２：４２３−４２６；Ｈｕｓｔｏｎら．， Ｐｒｏｃ． Ｎａｔｌ． Ａｃａｄ． Ｓｃｉ． ＵＳＡ （１９８８） ８５： ５８７９−５８８３；及びＷａｒｄら．， Ｎａｔｕｒｅ（１９８９） ３３４： ５４４−５４６）。
【００４６】
抗体産生に関する他の適切な技術は、抗原性ポリペプチド、又はそれに代わってファージ又は類似のベクターにおける抗体のライブラリの選択へのリンパ球のインビトロ曝露を含む（Ｈｕｓｅら．， Ｓｃｉｅｎｃｅ （１９８９） ２４６： １２７５−１２８１）。
【００４７】
本発明のポリペプチド及び抗体は、修飾をともなって又はともなわずに使用することができる。頻繁に、ポリペプチド及び抗体は、検出可能なシグナルを提供する又は標的タンパク質を発現する細胞に対して毒性である基質を共有結合又は非共有結合的のいずれかによって結合することで標識される（Ｍｅｎａｒｄ Ｓ， ら．， Ｉｎｔ Ｊ． Ｂｉｏｌ Ｍａｒｋｅｒｓ （１９８９） ４： １３１−１３４）。幅広い種々の標識及びコンジュゲーション技術が知られており、科学及び特許文献の双方で幅広く報告されている。適切な標識は、放射性核種、酵素、基質、補因子、阻害剤、蛍光成分、蛍光放出ランタニド金属、化学発光成分、生物発光成分、磁気粒子等を含む（米国特許第３，８１７，８３７；３，８５０，７５２；３，９３９，３５０；３，９９６，３４５；４，２７７，４３７；４，２７５，１４９；及び４，３６６，２４１）。また、組み換え免疫グロブリンが産生され得る（米国特許第４，８１６，５６７号）。細胞質タンパク質に対する抗体を送達させ、膜貫通毒素タンパク質とのコンジュゲーションによってそれらの標的へ到達させてもよい（米国特許第６，０８６，９００号）。
【００４８】
患者に対して治療的に使用した場合、標的部位で可能であるならば、対象発明の抗体は、通常は非経口的又は静脈内に投与される。治療的に効果のある用量及び用法は、臨床研究によって決定される。典型的には、投与された抗体の量は、患者体重の約０．１ｍｇ／ｋｇから約１０ｍｇ／ｋｇの範囲である。非経口投与に関しては、抗体は、医薬的許容可能な溶媒とともに単位投与量注入可能な形態（例えば、溶液、懸濁液、乳濁液）に製剤化される。そのような溶媒は、本質的に無毒及び治療効果がない。例としては、水、生理的食塩水、リンガー液、ブドウ糖液、及び５％ヒト血清アルブミンがある。不揮発性油、オレイン酸エチル、又はリポソームキャリアー等の非水溶性触媒も使用することができる。溶媒は、等張性及び化学安定性を高め、又はそうでなければ治療効果を高める緩衝液及び保存剤などの微量の添加剤を含み得る。このような溶媒の抗体濃度は、典型的には、約１ｍｇ／ｍｌから約１０ｍｇ／ｍｌの範囲にある。免疫療法は、さらに文献に記載されている（米国特許第５，８５９，２０６号；国際公開公報第００７３４６９号）。
【００４９】
核酸調節因子
他の好ましいＥｃｔ２調節剤は、一般的にＥｃｔ２活性を阻害するアンチセンスオリゴマー又は二本鎖ＲＮＡ（ｄｓＲＮＡ）等の核酸分子を含む。
【００５０】
好ましいアンチセンスオリゴマーは、Ｅｃｔ２核酸の機能、例えばＤＮＡ複製、転写、Ｅｃｔ２ ＲＮＡトランスロケーション、Ｅｃｔ２ ＲＮＡからのタンパク質の翻訳、ＲＮＡスプライシング、及びＥｃｔ２ ＲＮＡが関与する任意の触媒活性等を妨害する。一実施態様では、アンチセンスオリゴマーは、Ｅｃｔ２ ｍＲＮＡと十分に相補的で、好ましくは５’ 非翻訳領域と結合してＥｃｔ２ ｍＲＮＡからの翻訳を阻止する。Ｅｃｔ２特異的アンチセンスオリゴヌクレオチドは、好ましくは、少なくとも６から約２００ヌクレオチドの範囲にある。ある実施態様では、オリゴヌクレオチドは、好ましくは、少なくとも１０，１５，又は２０ヌクレオチド長である。他の実施態様では、オリゴヌクレオチドは、好ましくは、５０、４０、又は３０ヌクレオチド長未満である。オリゴヌクレオチドは、ＤＮＡ又はＲＮＡ、ＤＮＡ及びＲＮＡのキメラ混合物、その誘導体又は修飾形、一本鎖又は二本鎖である。オリゴヌクレオチドは、塩基部分、糖部分、又はリン酸骨格で修飾することができる。オリゴヌクレオチドは、ペプチド、細胞膜を通過する輸送を促進する薬剤、ハイブリダイゼーション誘発開裂剤、及び挿入剤等の他の付加グループを含み得る。
【００５１】
その他の実施態様では、アンチセンスオリゴマーは、ホスホロチオネートモルホリノオリゴマー（ＰＭＯ）である。ＰＭＯは、各々が六員モルホリン環と結合している４つの遺伝的塩基（Ａ，Ｃ，Ｇ，又はＴ）のうちの１つを含む、４つの異なるモルホリノサブユニットで組み立てられている。これらサブユニットのポリマーは、非イオン性ホスホジアミデートサブユニット間結合によって結合している。ＰＭＯ類及び他のアンチセンスオリゴヌクレオチドを産生して使用する方法は、当該分野で良く知られている（例えば、国際公開公報第９９／１８１９３号；Ｓｕｍｍｅｒｔｏｎ Ｊ， 及びＷｅｌｌｅｒ Ｄ， Ａｎｔｉｓｅｎｓｅ Ｎｕｃｌｅｉｃ Ａｃｉｄ Ｄｒｕｇ Ｄｅｖ １９９７， ７： １８７−９５；Ｐｒｏｂｓｔ ＪＣ， Ｍｅｔｈｏｄｓ （２０００） ２２： ２７１−２８１；米国特許第５，３２５，０３３及び５，３７８，８４１号）。
【００５２】
アンチセンスオリゴマーは、研究用試薬、診断用、及び治療薬として広く使用されている。例えば、遺伝子発現を特異的に阻害することのできるアンチセンスオリゴヌクレオチドは、特定の遺伝子の機能を解明するために頻繁に使用されている（米国特許第６，１６５，７９０号を参照せよ）。例えば、アンチセンスオリゴマーは、種々の生物学的経路のメンバーの機能を見分けるためにも使用される。アンチセンスオリゴマーは、動物及びヒトでの疾病状態を治療する治療薬成分として用いられ、多くの臨床試験で安全で効果的であることが示されている（Ｍｉｌｌｉｇａｎ ＪＦ， ら， Ｃｕｒｒｅｎｔ Ｃｏｎｃｅｐｔｓ ｉｎ Ａｎｔｉｓｅｎｓｅ Ｄｒｕｇ Ｄｅｓｉｇｎ， Ｊ Ｍｅｄ Ｃｈｅｍ． （１９９３） ３６： １９２３−１９３７；Ｔｏｎｋｉｎｓｏｎ ＪＬら．， Ａｎｔｉｓｅｎｓｅ Ｏｌｉｇｏｄｅｏｘｙｎｕｃｌｅｏｔｉｄｅｓ ａｓ Ｃｌｉｎｉｃａｌ Ｔｈｅｒａｐｅｕｔｉｃｓ Ａｇｅｎｔｓ， Ｃａｎｃｅｒ Ｉｎｖｅｓｔ． （１９９６） １４： ５４−６５）。従って、本発明の一側面では、Ｅｃｔ２特異的アンチセンスオリゴマーは、アッセイに使用されて、ｐ２１経路でのＥｃｔ２の機能をさらに解明する。本発明のその他の側面では、Ｅｃｔ２特異的アンチセンスオリゴマーは、代謝病態の治療のための治療剤として利用される。
【００５３】
代わりに使用できる好ましいＥｃｔ２調節剤は、ＲＮＡ干渉（ＲＮＡｉ）を媒介する二本鎖ＲＮＡ種である。ＲＮＡｉは、サイレンス遺伝子と配列が相同的である二本鎖ＲＮＡ（ｄｓＲＮＡ）によって開始される、動物及び植物での配列特異的、転写後遺伝子サイレンシングのプロセスである。線虫、ショウジョウバエ、植物、及び哺乳動物で遺伝子を静止させるためのＲＮＡｉの用途に関係する方法は、当該分野で知られている（Ｆｉｒｅ Ａ， ら．， １９９８ Ｎａｔｕｒｅ ３９１： ８０６−８１１；Ｆｉｒｅ， Ａ． Ｔｒｅｎｄｓ Ｇｅｎｅｔ． １５， ３５８−３６３ （１９９９）；Ｓｈａｒｐ， Ｐ． Ａ． ＲＮＡ ｉｎｔｅｒｆｅｒｅｎｃｅ ２００１． Ｇｅｎｅｓ Ｄｅｖ． １５， ４８５−４９０ （２００１）；Ｈａｍｍｏｎｄ， Ｓ． Ｍ．， ら．， Ｎａｔｕｒｅ Ｒｅｖ． Ｇｅｎｅｔ． ２， １１０−１１１９ （２００１）；Ｔｕｓｃｈｌ， Ｔ． Ｃｈｅｍ． Ｂｉｏｃｈｅｍ． ２， ２３９−２４５ （２００１）；Ｈａｍｉｌｔｏｎ， Ａ．ら．， Ｓｃｉｅｎｃｅ ２８６， ９５０−９５２（１９９９）；Ｈａｍｍｏｎｄ， Ｓ． Ｍ．， ら．， Ｎａｔｕｒｅ ４０４， ２９３−２９６（２０００）；Ｚａｍｏｒｅ， Ｐ． Ｄ．， ら．， Ｃｅｌｌ １０１， ２５−３３（２０００）；Ｂｅｒｎｓｔｅｉｎ， Ｅ．， ら．， Ｎａｔｕｒｅ ４０９， ３６３−３６６（２００１）；Ｅｌｂａｓｈｉｒ， Ｓ． Ｍ．， ら Ｇｅｎｅｓ Ｄｅｖ． １５， １８８−２００（２００１）；国際公開公報第０１２９０５８号；国際公開公報第９９３２６１９号，及びＥｌｂａｓｈｉｒ ＳＭ， ら．， ２００１ Ｎａｔｕｒｅ ４１１： ４９４−４９８）。
【００５４】
アッセイ系
本発明は、Ｅｃｔ２活性の特異的調節因子を同定するためのアッセイ系を提供する。一般的に、一次アッセイは、Ｅｃｔ２核酸又はタンパク質に関する調節因子の特異的生化学的又は分子作用を同定又は確かめるために使用する。一般的に、二次アッセイは、一次アッセイによって同定されたＥｃｔ２調節剤の活性をさらに評価し、この調節剤がｐ２１経路及び細胞周期制御に関連した様式でＥｃｔ２に作用することを確かめることができる。
【００５５】
一次アッセイ
試験される調節因子の型は、概して一次アッセイの型を確かなものにする。
【００５６】
低分子調節因子に関しては、スクリーニングアッセイを使用して候補調節因子を同定する。スクリーニングアッセイは、細胞ベースであってもよく、又は標的タンパク質の関連する生化学的反応を再現又は保持する無細胞系であってもよい（Ｓｉｔｔａｍｐａｌａｍ ＧＳ ら．， Ｃｕｒｒ Ｏｐｉｎ Ｃｈｅｍ Ｂｉｏｌ （１９９７） １： ３８４−９１及び添付参考文献で概説されている）。ここで用いられているように、「細胞ベース」という用語は、生存細胞、死滅細胞、又は特定の細胞分画、例えば膜、小胞体、又はミトコンドリア分画等を用いるアッセイを指す。細胞ベーススクリーニングアッセイは、通常は、Ｅｃｔ２の組み換え発現のための系、及び特定のアッセイで要求される補助タンパク質を必要とする。「無細胞」という用語は、十分に精製されたタンパク質（内因性又は組み換え産物のいずれか）、特に精製細胞抽出物、又は粗細胞抽出物を用いるアッセイを含む。スクリーニングアッセイは、タンパク質−ＤＮＡ相互作用、タンパク質−タンパク質相互作用（例えば、レセプター−リガンド結合）、転写活性（例えば、レポーター遺伝子の使用）、酵素活性（例えば、基質の特性を介して）、セカンドメッセンジャーの活性、免疫原性及び細胞形態又は他の細胞特性の変化を含む、種々の分子事象を検出することができる。適切なスクリーニングアッセイでは、蛍光（Ｋｌｅｂｅ Ｃ， ら．， Ｂｉｏｃｈｅｍｉｓｔｒｙ （１９９５）３４： １２５４３−１２５５２）、放射活性（Ｈａｒｔ Ｍ， ら．， Ｎａｔｕｒｅ （１９９１）３５４： ３１１−３１４）、比色、分光光度、及び電流測定を含む幅広い検出方法を用いて、頻繁にハイスループットスクリーニング（ＨＴＳ）フォーマットで検出される特定の分子事象に関する読み出しを提供する（例えば、ＨｅｒｔｚｂｅｒｇＲＰ， 及び Ｐｏｐｅ ＡＪ， Ｃｕｒｒｅｎｔ Ｏｐｉｎｉｏｎ ｉｎ Ｃｈｅｍｉｃａｌ Ｂｉｏｌｏｇｙ （２０００） ４：４４５−４５１）。
【００５７】
結合剤に関するアッセイは、天然Ｅｃｔ２結合標的とのＥｃｔ２の相互作用を調節する化合物のスクリーニングを含む。そのようなアッセイに用いるＥｃｔ２ポリペプチドは、その他のポリペプチド、例えば検出又は固着等のためのペプチドタッグと融合させてもよい。特定の実施態様では、結合標的は、アッセイにおいて便宜的に測定可能であり、無傷のＲｈｏＡ、ＲｈｏＣ、Ｒａｃ、又はＣｄｃ４２とむしろ比較可能な対象Ｅｃｔ２ポリペプチドに対する結合親和性及び結合活性を提供するＲｈｏＡ、ＲｈｏＣ、Ｒａｃ、又はＣｄｃ４２、又はその一部分である。Ｅｃｔ２及び結合標的は、候補調節剤の存在を別にすれば、Ｅｃｔ２ポリペプチドが引例の結合親和性と一部分又はアナログである細胞結合標的と特異的に結合する条件下で、候補Ｅｃｔ２調節剤の存在又は非存在（即ちコントロール）下でインキュベートされる。インキュベーションの後、Ｅｃｔ２ポリペプチドと１つ又は複数の結合標的の間の薬剤に偏った結合は、産物の性質及び他のアッセイ成分、例えば、光学又は電子密度、放射発光、非放射エネルギー転移等を介して、又は抗体コンジュゲート等による間接検出に依存する任意の種々の方法によって検出される。薬剤の存在下における結合親和性と比較した、薬剤の非存在下における標的へのＥｃｔ２の結合親和性の違いは、薬剤がＥｃｔ２のＥｃｔ２結合標的への結合を調節することを示している。ここで用いる違いとは、統計的に顕著であり、少なくとも５０％、好ましくは少なくとも６０％、より好ましくは７５％、及び最も好ましくは９０％の違いである。
【００５８】
我々は、固相放射分析ハイスループットアッセイフォーマットを開発し、Ｅｃｔ２、及び他のＧＥＦ類の活性を測定した。ＧＴＰａｓｅ／ＧＥＦ活性は、固相における活性化リガンド−ＧＴＰの結合を測定することによって評価した。このアッセイでは、ＧＴＰａｓｅ（例えばＲｈｏ又はＲａｃ）は、底とウェルの側面上をシンチラント被膜されたＦｌａｓｈｐｌａｔｅ（パーキンエルマーライフサイエンス）等の商業的に入手可能なプレートの底に吸収される。このプレートを、次いで洗浄し、過度のタンパク質を取り除く。試験化合物（候補調節剤）を添加し、ＧＥＦ（例えば、ｅｃｔ２、又はＤｂｌホモロジードメインを含んでなる断片等の機能性Ｅｃｔ２断片）を続け、３５Ｓ標識ＧＴＰを続ける。放射線同位体が固相と結合すると、液体シンチラントが添加されたように、それはシンチレーションカウンターで測定される。従って、ＧＴＰａｓｅ上へ交換された３５Ｓ−ＧＴＰのみが検出されるので、インキュベーションの後では、このプレートは、さらなるプロセッシングなしに単に計測される。未結合放射活性ＧＴＰは溶液に残存し、検出不可能である。塩化マグネシウムは、ネガティブコントロールとして用いられる。ＧＥＦの非存在下では、２ｍＭ のＭｇＣｌ２ が結合からＧＴＰを妨げ、従って、ｃｐｍ／ウェルの数を減少させる。アッセイへＧＥＦを含めることは、ＭｇＣｌ２ 阻害交換を救う。
【００５９】
他の好ましいアッセイフォーマットは、蛍光分極化、時間分解蛍光、及び蛍光エネルギー移動を含む蛍光技術を利用する。これらの系は、タンパク質−タンパク質又はＤＮＡ−タンパク質相互作用をモニターする手段を提供し、その色素標識分子から発せられるシグナルの強度はそれらとパートナー分子との相互作用に依存する（例えば、Ｓｅｌｖｉｎ ＰＲ， Ｎａｔ Ｓｔｒｕｃｔ Ｂｉｏｌ （２０００） ７： ７３０−４；Ｆｅｒｎａｎｄｅｓ ＰＢ， Ｃｕｒｒ Ｏｐｉｎ Ｃｈｅｍ Ｂｉｏｌ （１９９８） ２： ５９７−６０３；Ｈｅｒｔｚｂｅｒｇ ＲＰ 及びＰｏｐｅ ＡＪ， Ｃｕｒｒ Ｏｐｉｎ Ｃｈｅｍ Ｂｉｏｌ （２０００） ４： ４４５−４５１）。我々は、ＧＳＴ−融合ＧＴＰａｓｅ（例えば、ＲｈｏＡ、ＲｈｏＣ、又はＲａｃ）をポリスチレンビーズと結合させ、ＧＥＦ（例えば、Ｅｃｔ２）をＣｙ５（アマシャム から入手可能な、長波長フルオロフォア）で標識することによって、ＧＥＦ及びＧＴＰａｓｅのタンパク質−タンパク質相互作用を測定するＦＭＡＴ（蛍光マイクロ容量アッセイ技術）アッセイフォーマットを開発した。ＧＴＰａｓｅとＧＥＦが結合した場合、ＧＴＰａｓｅビーズに関連する蛍光の増加があり、それは、ウェルの底に定着してＦＭＡＴ８１００ＨＴＳ系（アプライド・バイオシステムズ）を使用して検出される。潜在的な阻害剤は、蛍光の後の減少と関連するＧＥＦ−ＧＴＰａｓｅを妨害する。
【００６０】
抗体調節因子に関しては、適切な一次アッセイによって、抗体のＥｃｔ２タンパク質に対する特異性及び親和性を試験する。抗体特異性及び親和性を試験する方法は、当該分野で良く知られている。あるいは、又はさらには、抗体調節因子に対する一次アッセイは、上記のスクリーニングアッセイを含み、Ｅｃｔ２調節因子の比活性を検出するのに使用される。
【００６１】
核酸調節因子に関しては、一次アッセイによって、核酸調節因子のＥｃｔ２ ｍＲＮＡ又はタンパク質発現を阻害する能力を試験することができる。一般的には、発現解析は、核酸調節因子の存在及び非存在下での、細胞の類似個体群（例えば、内因的又は組み換え的に発現するＥｃｔ２の２つの細胞のプール）におけるＥｃｔ２発現を含む。ｍＲＮＡ及びタンパク質発現を解析する方法は、当該分野で良く知られている。例えば、ノーザンブロッティング、スロットブロッティング、リボヌクレアーゼ保護、定量的ＲＴ−ＰＣＲ（例えば、ＴａｑＭａｎ（登録商標）、ＰＥ アプライド・バイオシステムズを使用して）、又はマイクロアレイ分析を使用して、核酸調節因子で処理した細胞ではＥｃｔ ｍＲＮＡ発現が減少していることを確かめることができる（例えば、Ｃｕｒｒｅｎｔ Ｐｒｏｔｏｃｏｌｓ ｉｎ Ｍｏｌｅｃｕｌａｒ Ｂｉｏｌｏｇｙ（１９９４） Ａｕｓｕｂｅｌ ＦＭら．， 編．， Ｊｏｈｎ Ｗｉｌｅｙ ＆ Ｓｏｎｓ， Ｉｎｃ．， 第４章；Ｆｒｅｅｍａｎ ＷＭら．， Ｂｉｏｔｅｃｈｎｉｑｕｅｓ（１９９９） ２６：１１２−１２５；Ｋａｌｌｉｏｎｉｅｍｉ ＯＰ， Ａｎｎ Ｍｅｄ ２００１， ３３：１４２−１４７；Ｂｌｏｈｍ ＤＨ 及びＧｕｉｓｅｐｐｉ−Ｅｌｉｅ， Ａ Ｃｕｒｒ Ｏｐｉｎ Ｂｉｏｔｅｃｈｎｏｌ ２００１， １２：４１−４７）。タンパク質は、最も多くは、Ｅｃｔ２タンパク質又は特定のペプチドのいずれかに対する特異的抗体又は抗血清によって検出される。タンパク質発現は、ウェスタンブロッティング、酵素結合免疫吸着アッセイ（ＥＬＩＳＡ）、又はインサイツ検出を含む種々の手法を使用してモニターすることが可能である（Ｈａｒｌｏｗ Ｅ及びＬａｎｅ Ｄ（編）Ｕｓｉｎｇ Ａｎｔｉｂｏｄｉｅｓ：Ａ Ｌａｂｏｒａｔｏｒｙ Ｍａｎｕａｌ， １９９９， コールド・スプリング・ハーバー研究所出版， ニューヨーク）。
【００６２】
二次アッセイ
二次検証では、ｐ２１関連経路へのｅｃｔ２遺伝子の関与を機能的に検証するのと同じアッセイを基本的に使用することができる。前述の機能的検証アッセイが一般的にＥｃｔ２タンパク質の改変レベルを発現する細胞を比較する一方で、二次検証アッセイは、一般的に、候補調節因子の存在及び非存在下での細胞の同じような個体群（例えば、野生型細胞の２つのプール）を比較する。
【００６３】
その他の実施態様では、二次検証では、ハイスループットスクリーニングに用いるのと同じアッセイを使用することができる。これらの方法によって、抗体又はアンチセンスオリゴヌクレオチド調節因子のような、ハイスループットスクリーニングを介しては同定されない調節因子の活性を確かめることができるか、又は、異なるハイスループットスクリーニンアッセイを用いて同定される低分子調節因子の活性を確かめることができる。これらのアッセイは、候補調節因子の特異性を確かめるのに使用することができる。
【００６４】
さらには、調節因子は、ｐ２１関連様態でのＥｃｔ２に対するその効率性に関してアッセイされる。そのようなアッセイには、上記のような細胞周期、アポトーシス、増殖、及び低酸素誘導アッセイ等が含まれる。調節因子の役割を評価するために、これらのアッセイは、ｐ２１正常及びｐ２１変異環境下において調節因子の存在又は非存在下でおこなった。これらのアッセイは、ＡＴＣＣ（アメリカン・タイプ・カルチャー・コレクション， マナサッス， バージニア）から入手可能なＨＣＴ１１６結腸癌細胞等のｐ２１に欠損がある細胞株を使用することができる。
【００６５】
治療的及び診断的用途
患者の抗腫瘍療法として使用される場合、Ｅｃｔ２調節剤は、患者の腫瘍の苦しみを取り除く又は減じるのに治療的有効量で患者へ投与される。Ｅｃｔ２調節剤は、通常は、標的細胞部位で可能ならば、非経口的又は静脈内に投与される。投与量及び服用量処方計画は、癌の性質（一次又は転移性）、その個体群、標的部位、特定の免疫毒素の特徴（使用した場合の）、例えば、その治療インデックスである、薬剤は他の治療薬との組み合わせで投与されたかどうか、及び患者歴に依存する。投与される量は、典型的には、患者体重当たりおよそ０．１−１０ｍｇ／ｋｇの範囲にある。
【００６６】
非経口投与に関しては、薬剤は、通常は約１−１０ｍｇ／ｋｇの濃度で、医薬的に許容可能な溶媒との組み合わせの注射可能又は吸引可能（溶液、懸濁液、乳化液）な形態の投与単位で製剤化される。
【００６７】
特異的にＥｃｔ２と結合する抗体は、Ｅｃｔ２の発現によって特徴付けられる症状又は疾病の診断、又はＥｃｔ２調節剤で治療した患者をモニターするアッセイで用いられる。Ｅｃｔ２に関する診断的アッセイは、抗体を利用する方法、及びヒト体液、又は細胞又は組織の抽出物のＥｃｔ２を検出する標識を含む。この抗体は、修飾をともなって又はともなわずに使用することができ、そしてレポーター分子で共有結合又は非共有結合のいずれかでそれらを結合することによって標識することができる。
【００６８】
Ｅｃｔ２の発現によって特徴付けられる症状の診断は、患者の試料のＥｃｔ２の発現を測定するためのノーザン又はＴａｑＭａｎ（登録商標）分析（上にて論じた）等の種々の方法のいずれかによって完遂することができる。
【００６９】
次の実験の章及び実施例は、例示的に限定すること無しに提供されている。
【００７０】
（実施例）
Ｉ． ハイスループット蛍光又は放射活性均一アッセイ
蛍光的（Ｎ−メチルアントラニロイル、ボディピ（Ｂｏｄｉｐｙ）又は他の広く使用されているフルオロフォア）又は放射活性的に（３Ｈ、３５Ｓ、又は３３Ｐ）標識したＧＴＰ、ＧＤＰ、ｄＧＴＰ、又はｄＧＴＰ及びｅｃｔ２の種々の組み合わせを、選択した試験化合物とともに９６ウェルプレートの各ウェルへ添加する。交換反応の示唆である蛍光測定（バックグラウンド蛍光を減じるために５００ｎｍを越える）又は放射活性を、その後で測定する。
【００７１】
全ての成分が溶液、又はそれに代わって、少なくとも１つの成分が、直径が１０ｎｍ又はより大きいビーズと結合していて、上記のアッセイがおこなわれ得る（例えば、ＳＰＡビーズはアマシャム、アルファースクリーンビーズはパッカード、又はＦＭＡＴビーズはＰＥバイオシステムズから）。
【００７２】
ＩＩ． ハイスループットＥｌｉｓａフォーマットアッセイ
グルタチオン−Ｓ−トランスフェラーゼ／ＲｈｏＡ、Ｒｈｏｃ、ＲＡＣ、又はＣＤＣ４２ポリペプチド融合タンパク質及びビオチン化Ｅｃｔ２の種々の組み合わせを、アッセイ緩衝液（０．０１Ｍ ＨＥＰＥＳ、０．１５Ｍ ＮａＣｌ、０．００２Ｍ ＭｇＣｌ２ ）中のマイクロタイタープレート（ＰｉｅｒｃｅのＳｕｐｅｒ−Ｂｌｏｃｋｉｎｇ ＲｅａｇｅｎｔによってブロックされているＲｅａｃｔｉ−Ｂｉｎｄ ストレプトアビジンコーティング、ホワイトポリスチレンプレート（＃１５１１８Ｂ））の各ウェルへ添加する。次いで、試験化合物を各ウェルへ添加し、１時間にわたって室温でインキュベートする。抗ＧＳＴ、ウサギ及び抗ウサギ抗体を、次に、各ウェルへ添加し、１時間にわたって氷上でインキュベートする。次いで、プレートを水で洗浄し、希釈スーパーシグナル基質（Ｓｕｐｅｒｓｉｇｎａｌ ｓｕｂｓｔｒａｔｅ） を各ウェルへ添加し、次に化学発光を測定する。
【００７３】
ＩＩＩ． 固相Ｒａｃ１−ｄｂｌ スクリーン
３ｘ３０  プレート／ウェル
１日目
４ｘ１０ｍｌ アッセイ緩衝液中で、４ｘ１０ｍｇｌ ＧＳＴ−Ｒａｃ１を再構成
３Ｌ アッセイ緩衝液を調製（１Ｌ １．４ｍＭ トリス ｐＨ７．５，５ｍＭ ＭｇＣｌ２，０．３％スクロース、０．１％ デキストランへ１ｍｌ １Ｍ ＤＴＴ／Ｌを添加）
ＧＳＴ−Ｒａｃ１を１００ｍｌ アッセイ緩衝液へ希釈
混合
１Ｌアッセイ緩衝液へ希釈
混合
２Ｌアッセイ緩衝液へ希釈
アッセイ緩衝液で１０ｕｇ／ｍｌ ＧＳＴ−Ｒａｃ１の２Ｌの最終容量を与える
９０のフラッシュプレート（パーキンエルマーライフサイエンス）を０．５ｕｇ／ウェル  ＧＳＴ−Ｒａｃ１（５０ｕｌのアッセイ緩衝液中の１０ｕｇ／ｍｌ ＧＳＴ−ｃｄｃ４２）
一晩、４℃に配する
２Ｌ ＴＢＳ（５０ｍＭ トリス−ＨＣｌ，ｐＨ７．４，１５０ｍＭ ＮａＣｌ）を調製
２日目
１バイアル（１ｍＣｉ）［３５Ｓ］ＧＴＰγＳを解凍
３ｘ７０ｕｌ ＴＢＳで３０のＧＳＴ−ｃｄｃ４２コーティングプレートを洗浄
１０ｕｌ アッセイ緩衝液の添加によって、プレートの化合物を希釈
５ｕｌの化合物希釈液をアッセイプレートへ移す
１ｍＣｉ ［３５Ｓ］ＧＴＰγＳ，５００ｎＭ Ｄｂｌを含有する０．１Ｌのアッセイ緩衝液を調製
５ｕｌ／ウェル ｄｂｌ／ＧＴＰγＳ（カラム１＆２は緩衝液のみを受ける）を添加
封着
インキュベート＠室温で１時間
Ｔｒｉｌｕｘ シンチレーションカウンターで計測
上記のようにして残りの２ｘ３０プレートを調製し、室温で貯蔵
【００７４】
ＩＶ． ＦＭＡＴ ＧＥＦ アッセイ
０．５ｍｌ プロテインＧポリスチレンビーズ（７ｕ，０．５％ｗ／ｖ Ｓｐｈｅｒｏｔｅｃｈ［リバティービル， イリノイ州 ］）をＰＢＳで３回洗浄し、０．５ｍｌ ＰＢＳに懸濁する。生分子結合の事象のモニタリングのために、抗ＧＳＴ（０．２５ｕｇ ＢＩＡｃｏｒｅ［ウプサラ、スウェーデン］）を添加し、３０分にわたって室温でインキュベートした。次いで、このビーズをＰＢＳで３回洗浄し、０．５ｍｌ ＰＢＳに懸濁する。試料を２ｘ０．２５ｍｌアリコートに分け、２．５ｕｇのＧＳＴ又はＧＳＴ−ＲｈｏＡのいずれかを添加して、３０分にわたって室温でインキュベートする。次いで、このビーズをＰＢＳで３回洗浄し、０．２５ｍｌ ＰＢＳに再懸濁する。
【００７５】
（Ｈｉｓ）６タッグＥｃｔ２−ｄｂｌドメインを、製造者指示書に従ってＣｙ５モノクローナル抗体標識キットを使用してＣｙ５で標識する（アマシャム）。
【００７６】
４００ｕｌのＰＢＳに４ｕｌの「ＲｈｏＡ−ビーズ」又は「ＧＳＴ−ビーズ」のいずれかを添加し、最終濃度が２０ｎＭのＲｈｏＡ又はＧＳＴを与える。２００ｎＭ Ｃｙ５−Ｅｃｔ２＿ｄｂｌを添加する。８ｘ５０ｕｌを９６ウェルＦＭＡＴプレートへ混合及びアリコートする。１時間にわたって室温でインキュベートし、ＦＭＡＴ８１００ＨＴＳシステムのＣｙ５検出チャネルで読み取る。
【００７７】
参考としているＧｅｎｂａｎｋ識別番号の配列情報及びウェブサイトレファレンスを含む、ここで引用しているすべての参考文献は、ここでそれらがそのまま取り入れられている。
【国際公開パンフレット】
2004518413.tif 000002
2004518413.tif 000003
2004518413.tif 000004
2004518413.tif 000005
2004518413.tif 000006
2004518413.tif 000007
2004518413.tif 000008
2004518413.tif 000009
2004518413.tif 000010
2004518413.tif 000011
2004518413.tif 000012
2004518413.tif 000013
2004518413.tif 000014
2004518413.tif 000015
2004518413.tif 000016
2004518413.tif 000017
2004518413.tif 000018
2004518413.tif 000019
2004518413.tif 000020
2004518413.tif 000021
2004518413.tif 000022
2004518413.tif 000023
2004518413.tif 000024
2004518413.tif 000025
2004518413.tif 000026
2004518413.tif 000027
2004518413.tif 000028
2004518413.tif 000029
2004518413.tif 000030
2004518413.tif 000031
2004518413.tif 000032
2004518413.tif 000033
2004518413.tif 000034
2004518413.tif 000035
2004518413.tif 000036
2004518413.tif 000037
2004518413.tif 000038
2004518413.tif 000039
【国際調査報告】
2004518413.tif 000040